(57)【要約】      （修正有）【課題】収容物の使用時に摺りきり板を使用せずに計量スプーンによる計量が可能で、空容器が嵩張らず、廃棄処理の容易なジッパーテープ付き包装袋を提供する。【解決手段】包装袋の開口予定部の下方で表裏二枚の本体フィルム２、３の間に、係合突起６を有する狭幅テープ７と係合凹部８を有する広幅テープ９とからなるジッパーテープを挟み込み、狭幅テープ７はいずれか一方の本体フィルムに全体を熱溶着させ、広幅テープ９はもう一方の本体フィルムに下端１１を浮かせた状態で熱溶着させ、浮かせた下端１１は内方に延設させてなる。【選択図】図２
2008120413.tif 000002
【特許請求の範囲】
【請求項１】
相対向する表裏二枚の本体フィルムの周縁を熱溶着してなる包装袋において、
前記包装袋の開口予定部の下方で表裏二枚の本体フィルムの間に、係合突起を有する狭幅テープと係合凹部を有する広幅テープとからなるジッパーテープを挟み込み、狭幅テープはいずれか一方の本体フィルムに全体を熱溶着させ、広幅テープはもう一方の本体フィルムに下端を浮かせた状態で熱溶着させ、浮かせた下端は内方に延設させてなることを特徴とするジッパーテープ付き包装袋。
【請求項２】
前記広幅テープの内方に延設させてなる下端部の先端部近傍に肉厚部が設けられていることを特徴とする請求項１記載のジッパーテープ付き包装袋。
【請求項３】
前記包装袋が底部に船底シール部又はガゼット部が設けられたスタンディングパウチであることを特徴とする請求項１又は２記載のジッパーテープ付き包装袋。
【発明の詳細な説明】
【技術分野】
【０００１】
本発明は、粉体・粘体食品を包装するジッパーテープ付き包装袋に関するものであり、特には、粉体・粘体食品等の収容物を計量スプーン等ですりきり計量することが可能なジッパーテープ付き包装袋に関する。
【背景技術】
【０００２】
従来、粉体・粘体食品などは両側にマチを有する袋（ガゼット袋）に包装されて流通していた。両側にマチを有する袋は、袋自体としては嵩張らないにも係わらず収容可能量が大きく、収容状態において安定した形態となっており袋が自然に閉じてしまわず収容物が取り出し易いため、便利に使用されていた。
【０００３】
そして、従来のガゼット袋に包装された粉体・粘体食品を袋から取り出した後に袋を再封止するにあたっては、取りだし口付近を何重に折り返したり、あるいは、輪ゴムで縛るなどの手段で再封止していた。
【０００４】
しかしこのような再封止手段では封止が不完全であったり、手間がかかり不便であったり、面倒になってより封止状態が不完全になるという問題があった。
【０００５】
これらの問題を解決した再封止手段として、開口予定部の近傍に雄型咬合具と雌型咬合具よりなるチャックあるいは咬合具とも呼ばれるジッパーを取り付けたジッパーテープ付き包装袋が開発され、広く流通するようになった（例えば、特許文献１、特許文献２参照）。
【０００６】
上記先行技術文献を示す。
【特許文献１】実開昭６３−１７７２５０号公報。
【特許文献２】特開２０００−２７２６３９号公報。
【０００７】
ジッパーテープ付き包装袋を使用することにより、再封止の問題は解決された。しかし取りだし量を計測する使い方をする収容物の場合には、収容物を計量スプーンに掬い取った後、別に用意した摺り切り板で余剰量を除去して取り出していた。
【発明の開示】
【発明が解決しようとする課題】
【０００８】
本発明は、ジッパーテープ付き包装袋に関する以上のような問題に鑑みてなされたもので、収容物の使用時に摺り切り板を使用せずに計量スプーンによるすりきり計量が可能で、空容器が嵩張らず廃棄処理も容易なジッパーテープ付き包装袋を提供することを課題とする。
【課題を解決するための手段】
【０００９】
本発明の請求項１の発明は、相対向する表裏二枚の本体フィルムの周縁を熱溶着してなる包装袋において、前記包装袋の開口予定部の下方で表裏二枚の本体フィルムの間に、係合突起を有する狭幅テープと係合凹部を有する広幅テープとからなるジッパーテープを挟み込み、狭幅テープはいずれか一方の本体フィルムに全体を熱溶着させ、広幅テープはもう一方の本体フィルムに下端を浮かせた状態で熱溶着させ、浮かせた下端は内方に延設させてなることを特徴とするジッパーテープ付き包装袋である。
【００１０】
このように請求項１記載の発明によれば、相対向する表裏二枚の本体フィルムの周縁を熱溶着してなる包装袋において、前記包装袋の開口予定部の下方で表裏二枚の本体フィルムの間に、係合突起を有する狭幅テープと係合凹部を有する広幅テープとからなるジッパーテープを挟み込み、狭幅テープはいずれか一方の本体フィルムに全体を熱溶着させ、広幅テープはもう一方の本体フィルムに下端を浮かせた状態で熱溶着させ、浮かせた下端は内方に延設させてなるので、広幅テープの下端の浮かせた部分に内容物を収容した計量スプーンを当てることにより広幅テープの下端の浮かせた部分を摺り切り板として使用することができる。
【００１１】
また、請求項２の発明は、請求項１の発明において、前記広幅テープの内方に延設させてなる下端部の先端部近傍に肉厚部が設けられていることを特徴とするジッパーテープ付き包装袋である。
【００１２】
このように請求項２の発明によれば、広幅テープの内方に延設させてなる下端部の先端部近傍に肉厚部が設けられているので、広幅テープの下端の浮かせた部分に内容物を収容した計量スプーンを当てることにより広幅テープの下端の浮かせた部分を摺り切り板として使用することができる。
【００１３】
また、請求項３の発明は、請求項１又は２の発明において、前記包装袋が底部に船底シール部又はガゼット部が設けられたスタンディングパウチであることを特徴とするジッパーテープ付き包装袋である。
【００１４】
このように請求項３の発明によれば、包装袋が底部に船底シール部又はガゼット部が設けられたスタンディングパウチであるので、空容器は折り畳みが可能で嵩張ることがない。
なお、底面が平坦に形成されたガゼット部が設けられたフラットボトムパウチとしても良い。
【発明の効果】
【００１５】
このように本発明のジッパーテープ付き包装袋は、収容物を取り出した後簡単に再封止することができると同時に、ジッパーテープに付属した浮かせた下端部又はそれに付設された肉厚部を摺り切り板として使用することで収容物を計量しながら取り出すことができる。さらに、包装袋にスタンディングパウチを使用することにより、使い終わった包装袋は簡単に折り畳んで嵩張らず廃棄処理も容易である。
【発明を実施するための最良の形態】
【００１６】
本発明を一実施形態に基づいて以下に詳細に説明する。
本発明のジッパーテープ付き包装袋は、例えば図1、図２に示すように、相対向する表裏二枚の本体フィルム（２、３）の周縁（４）を熱溶着してなる包装袋（１）であり、包装袋の開口予定部（５）の下方で表裏二枚の本体フィルムの間に、係合突起（６）を有する狭幅テープ（７）と係合凹部（８）を有する広幅テープ（９）とからなるジッパーテープ（１０）を挟み込み、狭幅テープはいずれか一方の本体フィルム（２）に全体を熱溶着させ、広幅テープはもう一方の本体フィルム（３）に下端（１１）を浮かせた状態で熱溶着させ、浮かせた下端（１１）は内方に延設させてなることを特徴とする。
【００１７】
なお、狭幅テープ（７）と広幅テープ（９）とは、それぞれのテープの内側に設けられた係合突起（６）と係合凹部（８）からなる咬合具により再封可能に嵌合され、ジッパーテープ（１０）を構成している。
【００１８】
そして、浮かせた下端（１１）は内方に延設されてなり、本体フィルムと熱溶着されておらず、分離して形成されている。
【００１９】
また、広幅テープ（９）の内方に延設させた下端部（１１）の先端部近傍の内側に肉厚部（１２）を形成させておくと、計量用のスプーンで収容物を掬い取った後、下端部（１１）を余剰分を摺りきるための摺り切り板として活用するに際し、下端部（１１）が肉厚部（１２）により補強されて摺り切りし易くなる。
【００２０】
必要に応じて、係合突起（６）を有する狭幅テープ（７）と係合凹部（８）を有する広幅テープ（９）を逆にすることもできる。すなわち、狭幅テープ（７）に係合凹部（８）を設け、広幅テープ（９）に係合突起（６）を設けることもできる。
【００２１】
ジッパーテープ（１０）は、包装袋のシーラント層（２２）と熱溶着可能なことが必要で、通常はポリエチレン樹脂を射出成形して作製することができる。また、ジッパーテープに付設される肉厚部（１２）も同様にポリエチレン樹脂を射出成形して作製することができる。
【００２２】
つぎに、本発明のジッパーテープ付き包装袋（１）に使用される本体フィルム（２、３）について、図３に基づいて説明する。本体フィルム（２、３）は少なくとも基材（２１）にシーラント層（２２）が積層された構成からなる。必要に応じて中間層（図示せず）等を積層させることができる。
【００２３】
基材（２１）としては、ポリエチレンテレフタレートフィルム、延伸ポリプロピレンフィルム等従来使用されているフィルム基材が好ましく使用できる。
シーラント層（２２）としては、ポリエチレン、ポリプロピレン、線状低密度ポリエチレン等従来使用されているヒートシール性を有するポリオレフィン系樹脂が好ましく使用できる。
【００２４】
包装袋の形態は、通常の三方シール袋としても良いが、底部に船底シール部又は平坦なガゼット部を設けたスタンディンパウチとすることにより、同面積の包装袋に大容量の内容物を収容できる、自立性がありディスプレイ効果が出る、使用後は折り畳んで小さくすることができる、等の効果がある。
【００２５】
つぎに、このような構造からなるジッパーテープ付き包装袋の使用方法について説明する。
【００２６】
開口予定部（５）から、例えば、粉末状、或いは顆粒状の調味料を所定量本発明のジッパーテープ付き包装袋（１）に充填し、開口予定部（５）を熱溶着して密封し、ジッパーテープ付き包装体とする。
【００２７】
収容物を包装袋から取り出すに際しては、密封シールされた開口予定部（５）を、図示してないがノッチ等からジッパーテープと平行方向に引き裂き、あるいは、挟み等の開封具を用いて切り取り、ついで、表裏二枚の本体フィルム（２，３）を左右に引っ張りジッパーテープから包装袋を開封する。
【００２８】
ついで開封した包装袋から計量用のスプーンで収容物を掬い取り、スプーンの上の余剰分はジッパーテープの広幅テープの下端の本体フィルムから浮かせて延設させた下端部（１１）を摺り切り板として活用して摺り落とし、掬い取った収容物を所定容器に収納する。必要により同じ動作を繰り返し、必要量を所定容器に収納する。
【００２９】
収容物の取り出しが終了した後は、ジッパーテープの係合突起（６）と係合凹部（８）を嵌合させ、包装袋を再封止することができる。
【００３０】
ジッパーテープを開けることにより、再度収容物を取り出すことができ（計量用のスプーンで収容物の計量ができ）、再びジッパーテープを閉じることにより包装袋は再封止される。すなわち、複数回の使用に耐えることができる。
【００３１】
収容物がなくなり、使い切ったら、包装袋は折り畳んで廃棄することができ、嵩張らない。
【図面の簡単な説明】
【００３２】
【図１】本発明のジッパーテープ付き包装袋の一実施例を示す平面説明図である。
【図２】本発明のジッパーテープ付き包装袋の一実施例のジッパーテープを取り付けた部分を拡大して示す断面  説明図である。
【図３】本発明のジッパーテープ付き包装袋に使用する本体フィルムの層構成の一実施例を示す断面説明図である。
【符号の説明】
【００３３】
１‥‥包装袋
２‥‥一方の本体フィルム
３‥‥もう一方の本体フィルム
４‥‥周縁
５‥‥開口予定部
６‥‥係合突起
７‥‥狭幅テープ
８‥‥係合凹部
９‥‥広幅テープ
１０‥‥ジッパーテープ
１１‥‥広幅テープの下端
１２‥‥肉厚部
【図１】
2008120413.tif 000003
【図２】
2008120413.tif 000004
【図３】
2008120413.tif 000005